(57)【要約】【課題】  二次電池パックに防水部材を設け、機器の二次電池パック装着部に設けた防水面が防水部材を圧縮することで防水性を発揮するシステムに使用される二次電池パックの防水部材の劣化を防ぐ構造を持った充電器を提供すること。【課題手段】  二次電池パックの防水部材の劣化を防ぐ充電器には、防水面形状を機器とは異なる形状とし、充電器への装着時は、機器装着時よりも防水部材の圧縮量を少なくする様に構成する。二次電池パックの充電時、充電器への装着時に防水部材への圧縮量を減らすことで劣化が起きないようにする。更に、圧縮量を少なくしたことで、防水とは異なる機能、例えば二次電池パックのガタ取り機能を持たせるように構成する。【選択図】  図８
2019062704.tif 000002
【特許請求の範囲】
【請求項１】
防水部材(33)を有する二次電池パック(30)を機器に装着し、機器側に設けた防水面(43)で防水部材(13)を圧縮することで防水構造を採る機器の二次電池パック(30)を充電するための充電器であって、
防水面(13)形状を機器とは異なる形状とし、充電器への装着時は、機器装着時よりも防水部材(33)の圧縮量が少ないことを特徴とする充電器。
【請求項２】
請求項１に記載の充電器であって、防水とは異なる機能を有することを特徴とする充電器。
【請求項３】
請求項１に記載の充電器であって、防水とは異なる機能は二次電池パック(30)のガタ取りであることを特徴とする充電器。
【請求項４】
請求項１に記載の充電器であって、防水部材(33)の圧縮量を”０”としたことを特徴とする充電器。
【請求項５】
請求項１に記載の充電器であって、防水面(18)の色を隣接する部材と変えたことを特徴とする充電器。
【請求項６】
請求項１に記載の充電器であって、防水面(18)に粘着性部材を配置したことを特徴とする充電器。
【発明の詳細な説明】
【技術分野】
【０００１】
本発明は、電子機器等(以下機器と呼ぶ)に使用する二次電池パックに機器と二次電池パック接続部に防水機能を持たせるために、二次電池パックに防水部材を設け、機器に設けた防水面により防水部材を圧縮することで防水性を得るシステムに使用される二次電池パックの充電器に関するものである。
【背景技術】
【０００２】
機器の小型化、薄型化が進み、それに伴い機器の用途が拡大し、また多様化している。特に小型化が進んで身に着けられるような機器の場合、水濡れする場所での使用が求められるなど防滴、防水性が要望されている。
【０００３】
防水のために機器を収納する保護ケース (マリンパック等)が提案されているが、ケースへの収納は小型化と相反する。
【０００４】
そのため機器、二次電池パック自体を防水、防滴構造として二次電池パック接続部に防水構造を持たせた機器が提案されている。
【０００５】
この防水部材は使用時に適切な圧縮量が確保される様に保持されており、防水部材が圧縮された状態に保持されて外部から水などの浸入を防ぐ様になっている。
【０００６】
防水部材にはＯリング等ゴム部材が用いられる事が一般的であり、防水機能が不要な時に防水部材が圧縮されたままの状態とすると、防水部材の劣化、変形等を早め、圧縮量が不足して防水性能が落ち、水漏れ発生の原因となることがあった。
【０００７】
その対応として、防水構造の防水部材の劣化を判定するために、弾性変形による防水部材の溝への押圧力に関する状態を測定して劣化を判定する手段とを有する劣化判定装置が提案されている（特許文献１参照）。
【０００８】
先行技術は、圧力センサー等でシール部の劣化を判断するものであり、防水部材の劣化を判断するもので、劣化の防止機能は無く、水漏れ発生等の懸念が有った。
【先行技術文献】
【特許文献】
【０００９】
【特許文献１】特開2007-78514号公報
【発明の概要】
【発明が解決しようとする課題】
【００１０】
上記述べてきたように、防滴、防水性を持たせるために用いる防水部材の圧縮による劣化、変形等による圧縮量不足から、水漏れ発生の原因となることがあり、二次電池パックに設けた防水部材の圧縮による劣化を防ぐ充電器の提供を目的とする。
【課題を解決するための手段】
【００１１】
前記目的を達成するために、本発明による二次電池パックの防水部材の劣化を防ぐ充電器には、防水面形状を機器とは異なる形状とし、充電器への装着時は、機器装着時よりも防水部材の圧縮量を少なくする様に構成する。
【００１２】
更に、圧縮量を少なく、防水部材に負担を掛けない最小限の圧縮量で二次電池パックのガタ取り機能を持たせるように構成する。
【発明の効果】
【００１３】
本発明による二次電池パックの防水部材の劣化を防ぐ充電器によれば、充電器に設けた防水面に相当する部位の圧縮量を機器装着時より減少させ、充電時には防水部材への応力を減らす、または無くし劣化しない様に構成する。
【００１４】
更に圧縮量を変えることで防水部材の保護と二次電池パックのガタ取り機能を持たせる事で従来の充電器に比べ、品位の向上と接触の安定性を得ることでより信頼性を高める事が出来る。
【図面の簡単な説明】
【００１５】
【図１】本発明の第一の実施形態の充電器に二次電池パックを装着した図
【図２】充電器の各部を示す図
【図３】充電器の各部を示す図
【図４】二次電池パック取付け部側を示す図
【図５】ビデオカメラを示す図
【図６】図５のビデオカメラの二次電池パック装着部を示す図
【図７】ビデオカメラの二次電池パック装着部の断面を示す図
【図８】充電器の二次電池パック装着部の断面を示す図
【図９】充電器の各部を示す図
【発明を実施するための形態】
【００１６】
［実施例１］
本実施例はビデオカメラを例にビデオカメラとその駆動用の二次電池パックと二次電池パックの充電器の構造を説明する。
【００１７】
図１は本実施例の充電器を示す図であり、10は充電器、30は二次電池パックである。図２、３は図１の充電器の各部を示す図で、図２において11はロックレバー、11a〜11fはロックレバー11に一体成型されたロック部、12は充電端子、13は充電器10の防水面である。
【００１８】
14はロック部11を充電器11に固定する押さえ板で、19は充電状態を示すLEDの窓部である。
【００１９】
図３は押さえ板14を外した状態の斜視図でロックレバー11は充電器10に回動可能になっており、ロック部11a〜11fはロックレバー11に円周上に配置される。ロックレバー11を回転することでロックと解除位置にすることができる。
【００２０】
図４は図1の二次電池パック30を充電器10のＡ(底面側)より見た図で、31a〜31fはロック爪部である。ロック爪部31a〜31fは充電器10のロックレバー11に一体成型されたロック部11a〜11fに対応した位置に円周上に配置される。
【００２１】
二次電池パック30の充電器10への装着時はロックレバー11をロック部11a〜11fとロック爪部31a〜31fが装着方向に重ならない解除位置で充電器10装着する。
【００２２】
その後、ロックレバー11をロック位置に回転させロック部11a〜11fとロック爪部31a〜31fが装着方向に重なる位置にすることで充電器10に保持される。32は充電端子、33は防水部材である。
【００２３】
図５は本実施例のビデオカメラを示す図であり、41はロックレバー、42は電池端子、43はビデオカメラ40の防水面、44はロックレバー41の押さえ板である。
【００２４】
46はビデオカメラ40の電源ボタン、47は記録開始停止ボタン、48は撮像レンズである。
【００２５】
ビデオカメラ40の外装ケース合わせ部などは図示しないシール材や接着材などで外部からの水の浸入を防ぐように構成される。
【００２６】
図６は図５のビデオカメラ40の二次電池パック取付け部側より見た図で、ロックレバー41、ロックレバー41に一体成型されたロック部41a〜41f、電池端子42など取付けやロックに関する構造は先に説明した充電器10と同一構造を持っている。
【００２７】
図７は二次電池パック30をビデオカメラ40に装着した状態を図６におけるＣ断面を示す図であり、二次電池パック30のロック爪部31はロック部41によって二次電池パック30がビデオカメラ40光軸方向に離脱しないよう保持している。
【００２８】
同時に二次電池パック30に設けた防水部材33がビデオカメラ40の防水面43により圧縮された状態で保持される。
【００２９】
図７のＭ部分に示すように防水部材33の装着方向の高さＸに対して防水面が防水部材を圧縮する高さをＹで表す。
【００３０】
本提案では防水部材33にシリコンゴムを用いており、この素材で防水性能を得るための圧縮量はＹ＝0.1Ｘ〜0.4Ｘで、Ｙ＜0.1Ｘでは防水性の問題が発生、Ｙ＞0.4Ｘでは防水部材の劣化、破損が発生し、Ｙ＝0.2Ｘ〜0.3Ｘの設定が多い。
【００３１】
また、本提案のビデオカメラは、いわゆる水中使用を前提とした防水型ではなく、防滴型であること。
【００３２】
加えて、防水箇所がビデオカメラと二次電池パックの取付け面であり、各々のクリアランスで、装着状態でわずかに可動できること。
【００３３】
防滴型は防水型と異なり水圧による圧縮がないことからＹ＝0.35Ｘとした。
【００３４】
なお、防水部材33をビデオカメラ側に設けることで、充電時の防水部材33の負荷は無視することが可能となるが、二次電池パックを交換しても常に同じ防水部材33を用いることとなり、負担軽減の面では不利となる。
【００３５】
図８は二次電池パック30を充電器10に装着した状態を図２におけるＢ断面を示す図であり、二次電池パック30のロック爪部31はロック部11によって二次電池パック30が充電器10から離脱しないよう保持される。
【００３６】
一方充電器10への装着時は二次電池パック30に設けた防水部材33を充電器10の防水面13により圧縮されない状態で保持される。
本実施例ではＹ＝0とした。
【００３７】
また、このＹの値を例えば0.1Ｘとすることで、充電器10の防水面13で二次電池パック30の防水部材13を圧縮することで、充電時のガタ取り機能を持たせることが可能である。
【００３８】
この様に、ビデオカメラ装着時と充電器装着時に二次電池パックに設けた防水部材の圧縮量が異なる様構成し、二次電池パック充電時には防水部材に応力が掛からない様にすることができ、防水部材の劣化を防ぐことができる。
【００３９】
また、防水部材の圧縮量を変えることで防水部材の保護と二次電池パックのガタ取り機能を持たせることで、品位の向上と接触の安定性を得ることでより信頼性を高める事が出来る。
【００４０】
以上、本発明の好ましい実施形態について説明したが、本発明はこれらの実施形態に限定されず、その要旨の範囲内で種々の変形及び変更が可能である。
【００４１】
［実施例２］
図９は本実施例の充電器を示す図であり、基本的な構成は実施例１と同様である。図９において充電器10の防水面13を変更した図であり、防水面18は二色成形により別の色で構成している。防水面18には黄色、白といった明るい色を用いる。
【００４２】
防水面18を設けることで、充電器10の防水面18に異物の付着があった場合には容易に発見することが可能となり、二次電池パック30の防水部材33への異物付着による防水、防滴性能低下の懸念を減らすことができる。
【００４３】
更に防水面18をアクリルフォーム等の表面に非常に細かい気泡を小さな吸盤の様にした粘着性のある素材(以下アクリルフォームと呼ぶ)に置き換えることで、二次電池パック30の防水部材33に付着した異物の除去も可能となる。アクリルフォームの圧縮量はＹ＝0.1Ｘとする。
【００４４】
このアクリルフォームは硬く絞った濡れ布巾等で容易に汚れや異物の除去が可能であり、粘着力の復活が可能で長期にわたり使用可能である。
【００４５】
以上、本発明の好ましい実施形態について説明したが、本発明はこれらの実施形態に限定されず、その要旨の範囲内で種々の変形及び変更が可能である。
【符号の説明】
【００４６】
10 充電器
11 ロックレバー
11a〜11f  ロックレバーのロック部
12 充電端子
13 防水面
14 押さえ板
18 防水面
19 LED窓部
30 二次電池パック
31a〜31f  二次電池パックのロック爪部
32 充電端子
33 防水部材
40 ビデオカメラ
41 ロックレバー
41a〜41f  ロックレバーのロック部
42 充電端子
43 防水面
44 押さえ板
46 電源ボタン
47 記録開始停止ボタン
48 撮像レンズ
【図１】
2019062704.tif 000003
【図２】
2019062704.tif 000004
【図３】
2019062704.tif 000005
【図４】
2019062704.tif 000006
【図５】
2019062704.tif 000007
【図６】
2019062704.tif 000008
【図７】
2019062704.tif 000009
【図８】
2019062704.tif 000010
【図９】
2019062704.tif 000011